(57)【要約】【課題】  位置情報が付与された各種情報を有効利用することのできる情報表示装置等を提供する。【解決手段】  携帯電話は、画像ファイルの検索指示があると、画像ファイルを抽出してアイコン化し（Ａ２０２）、日付情報に基づいて表示部に表示させる（Ａ２０３）。位置情報取得指示が検出されると、自己位置情報を取得し（Ａ２０５）、取得した自己位置を中心として、位置情報が付加された画像ファイルのみを残し、対応する地名フォルダを読み出して、表示部にレイアウト表示させる（ステップＡ２０６）。表示されているいずれかのアイコンの選択、ネットワーク接続指示が検出されると、地図提供サービス会社とのセッションを確立し（Ａ２０９）、自己位置情報と選択した画像ファイルの位置情報とを地図提供サービス会社に送信する。携帯電話は、地図画像ファイルを受信し（Ａ２１１）、自己位置と選択された画像ファイルと経路を表示する（Ａ２１２）。【選択図】  図１０
2005100353.tif 000002
【特許請求の範囲】
【請求項１】
各種情報を当該情報が操作された日の日付情報と共に複数記憶する記憶手段と、
前記記憶手段に記憶される複数の情報を前記日付情報に基づいて管理する記憶管理手段と、
前記情報を操作した時の位置情報を取得する第１の位置情報取得手段と、
この第１の位置情報取得手段によって取得された位置情報を前記操作された情報と対応付けて前記記憶手段に記憶させる記憶制御手段と、
表示手段と、
前記記憶手段に記憶されている各種情報の一覧表示を指示する第１の指示手段と、
この第１の指示手段により各種情報の一覧表示が指示されると、前記記憶管理手段によって管理された日付情報に基づいたレイアウトで前記表示手段に表示させる第１の表示制御手段と、
前記記憶手段に記憶されている各種情報の位置情報に基づいた一覧表示を指示する第２の指示手段と、
この第２の指示手段により各種情報の一覧表示が指示されると、前記記憶手段に記憶されている夫々の情報に対応付けられた位置情報に基づいたレイアウトで前記表示手段に表示させる第２の表示制御手段と、
を備えたことを特徴とする情報表示装置。
【請求項２】
前記記憶制御手段による位置情報の対応付けを行うか否かを選択する選択手段を更に備え、
前記第２の表示制御手段は、この選択手段によって位置情報を対応付けることが選択された情報を、前記第１の位置情報取得手段によって取得された位置情報に基づいたレイアウトで前記表示手段に表示させることを特徴とする請求項１に記載の情報表示装置。
【請求項３】
前記記憶手段に記憶されている夫々の情報に対応付けられている位置情報の相対的な距離を判別する距離判別手段を更に備え、
前記記憶制御手段は、前記距離判別手段により距離的に近いと判断された複数の情報を関連付けて前記記憶手段に記憶させることを特徴とする請求項１または２に記載の情報表示装置。
【請求項４】
前記第２の表示制御手段は、前記第２の指示手段により各種情報の一覧表示が指示されると、前記記憶手段に記憶され、関連付けられた複数の情報を、それらの情報に対応付けられて記憶された位置情報位置情報に基づいたレイアウトでグループ化した状態で前記表示手段に表示させることを特徴とする請求項３に記載の情報表示装置。
【請求項５】
当該機器の現在の位置情報を取得する第２の位置情報取得手段を更に備え、
前記第２の表示制御手段は、さらに前記第２の位置情報取得手段によって取得された位置情報に基づいたレイアウトで夫々の情報を前記表示手段に表示させることを特徴とする請求項１乃至４のいずれかに記載の情報表示装置。
【請求項６】
前記第２の表示制御手段によるレイアウト表示の状態から、特定の情報を選択する情報選択手段と、この情報選択手段によって選択された情報に対応する位置情報と、前記第２の位置情報取得手段によって取得された位置情報とを、当該機器外部のネットワーク上に存在する地図データベースへ送信する位置情報送信手段と、この位置情報送信手段によって送信された位置情報に応答して、前記地図データベースより地図情報を受信する地図情報受信手段と、前記地図情報受信手段によって受信された地図情報を含むレイアウトで、選択された情報と前記現在の位置情報とを前記表示手段に表示させる第３の表示制御手段を更に備えたことを特徴とする請求項１乃至５のいずれかに記載の情報表示装置。
【請求項７】
前記地図情報には、前記選択された情報と前記現在の位置情報とを結ぶ経路情報が含まれることを特徴とする請求項６に記載の情報表示装置。
【請求項８】
撮像手段と、前記撮像手段による撮像画像を操作して画像データを生成する生成手段とを更に備え、
前記第１の位置情報取得手段は、前記情報の操作として、この生成手段によって画像データが生成された時に位置情報を取得することを特徴とする請求項１乃至７のいずれかに記載の情報表示装置。
【請求項９】
位置情報取得部を備える電子機器の情報表示方法であって、
各種情報を当該情報が操作された日の日付情報と共にメモリに複数記憶させる第１の記憶ステップと、
この第１の記憶ステップにて前記メモリに記憶される複数の情報を前記日付情報に基づいて管理する記憶管理ステップと、
前記情報を操作した時の位置情報を前記位置情報取得部にて取得する第１の位置情報取得ステップと、
この第１の位置情報取得ステップにて取得された位置情報を前記操作された情報と対応付けて前記メモリに記憶させる第２の記憶ステップと、
前記メモリに記憶されている各種情報の一覧表示を指示する第１の指示ステップと、
この第１の指示ステップにより各種情報の一覧表示が指示されると、前記記憶管理ステップによって管理された日付情報に基づいたレイアウトで表示出力させる第１の表示制御ステップと、
前記メモリに記憶されている各種情報の位置情報に基づいた一覧表示を指示する第２の指示ステップと、
この第２の指示ステップにより各種情報の一覧表示が指示されると、前記メモリに記憶されている夫々の情報に対応付けられた位置情報に基づいたレイアウトで表示出力させる第２の表示制御ステップと
からなることを特徴とする情報表示方法。
【請求項１０】
前記記憶制御ステップによる位置情報の対応付けを行うか否かを選択する選択ステップを更に含み、
前記第２の表示制御ステップは、この選択ステップにて位置情報を対応付けることが選択された情報を、前記第１の位置情報取得ステップにて取得された位置情報に基づいたレイアウトで表示出力に表示させることを特徴とする請求項９に記載の情報表示方法。
【請求項１１】
前記メモリに記憶されている夫々の情報に対応付けられている位置情報の相対的な距離を判別する距離判別ステップを更に含み、
前記第２の記憶ステップは、前記距離判別ステップにて距離的に近いと判断された複数の情報を関連付けて前記メモリに記憶させることを特徴とする請求項８乃至１０の何れか記載の情報表示方法。
【請求項１２】
前記第２の指示ステップにて各種情報の一覧表示が指示されると、前記メモリに記憶され、関連付けられた複数の情報を、それらの情報に対応付けられて記憶された位置情報位置情報に基づいたレイアウトでグループ化した状態で表示出力させることを特徴とする請求項１１に記載の情報表示方法。
【請求項１３】
当該機器の現在の位置情報を取得する第２の位置情報取得ステップを更に含み、
前記第２の表示制御ステップは、さらに前記第２の位置情報取得ステップにて取得された位置情報に基づいたレイアウトで夫々の情報を表示出力させることを特徴とする請求項８乃至１２の何れかに記載の情報表示方法。
【請求項１４】
前記第２の表示制御ステップによるレイアウト表示の状態から、特定の情報を選択する情報選択ステップと、
この情報選択ステップにて選択された情報に対応する位置情報と、前記第２の位置情報取得ステップにて取得された位置情報とを、当該機器外部のネットワーク上に存在する地図データベースへ送信する位置情報送信ステップと、
この位置情報送信ステップにて送信された位置情報に応答して、前記地図データベースより地図情報を受信する地図情報受信ステップと、
前記地図情報受信ステップにて受信された地図情報を含むレイアウトで、選択された情報と前記現在の位置情報とを表示出力させる第３の表示制御ステップと
を更に含むことを特徴とする請求項８乃至１３の何れかに記載の情報表示方法。
【請求項１５】
前記地図情報には、前記選択された情報と前記現在の位置情報とを結ぶ経路情報が含まれることを特徴とする請求項１４に記載の情報表示方法。
【請求項１６】
撮像部を更に備え、
この撮像部にて撮像された撮像画像を操作して画像データを生成する生成ステップをさらに含み、
前記第１の位置情報取得ステップは、前記情報の操作として、この生成ステップにて画像データが生成された時に位置情報を取得することを特徴とする請求項８乃至１５の何れかに記載の情報表示方法。
【請求項１７】
位置情報取得部を備える電子機器のコンピュータを、
各種情報を当該情報が操作された日の日付情報と共にメモリに複数記憶させる第１の記憶機能と、
この第１の記憶機能によって前記メモリに記憶される複数の情報を前記日付情報に基づいて管理する記憶管理機能と、
前記情報を操作した時の位置情報を前記位置情報取得部にて取得する第１の位置情報取得機能と、
この第１の位置情報取得機能によって取得された位置情報を前記操作された情報と対応付けて前記メモリに記憶させる第２の記憶機能と、
前記メモリに記憶されている各種情報の一覧表示を指示する第１の指示機能と、
この第１の指示機能により各種情報の一覧表示が指示されると、前記記憶管理機能によって管理された日付情報に基づいたレイアウトで表示出力させる第１の表示制御機能と、
前記メモリに記憶されている各種情報の位置情報に基づいた一覧表示を指示する第２の指示機能と、
この第２の指示機能により各種情報の一覧表示が指示されると、前記メモリに記憶されている夫々の情報に対応付けられた位置情報に基づいたレイアウトで表示出力させる第２の表示制御機能と
して実行させることを特徴とする情報表示プログラム。
【請求項１８】
前記メモリに記憶されている夫々の情報に対応付けられている位置情報の相対的な距離を判別する距離判別機能として実行させる手順を更に含み、
前記第２の記憶機能は、前記距離判別機能にて距離的に近いと判断された複数の情報を関連付けて前記メモリに記憶させることを特徴とする請求項１７に記載の情報表示プログラム。
【請求項１９】
前記第２の表示制御機能は、前記第２の指示機能にて各種情報の一覧表示が指示されると、前記メモリに記憶され、関連付けられた複数の情報を、それらの情報に対応付けられて記憶された位置情報位置情報に基づいたレイアウトでグループ化した状態で表示出力させることを特徴とする請求項１８に記載の情報表示プログラム。
【請求項２０】
撮像部を更に備え、
この撮像部にて撮像された撮像画像を操作して画像データを生成する生成機能として実行させる手順を含み、
前記第１の位置情報取得機能は、前記情報の操作として、この生成機能にて画像データが生成された時に位置情報を取得することを特徴とする請求項１７乃至１９の何れかに記載の情報表示プログラム。
【請求項２１】
相互にネットワークを介して接続可能な情報表示装置とサーバ装置とからなる位置情報サービスシステムであって、
前記情報表示装置は、
撮影手段と、
位置情報取得手段と、
前記撮影手段によって撮影された画像に、前記位置情報取得手段によって取得された位置情報を付与して記憶する記憶手段と、
前記位置情報取得手段を制御して自己位置情報を取得させる自己位置取得手段と、
前記自己位置取得手段により取得された自己位置情報と前記記憶手段に記憶された画像に付与されている位置情報とを前記サーバ装置に送信する位置情報送信手段と、
前記サーバ装置から送信される前記自己位置情報と前記画像に付与されている位置情報とを含む地図情報を受信する地図情報受信手段と、
前記自己位置情報と、前記画像に付与されている位置情報とから、自己位置から前記画像に付与されている位置情報との位置関係を示す情報を前記画像及び前記受信した地図情報とともに表示する表示手段とを備え、
前記サーバ装置は、前記位置情報送信手段により送信された前記自己位置情報と、前記指示された画像に付与されている位置情報とを受信する位置情報受信手段と、
この位置情報受信手段により受信した前記両位置情報を含む地図情報をデータベースより取得する地図情報取得手段と、
この地図情報取得手段により取得した地図情報を前記情報表示装置に送信する地図情報送信手段と
を備えることを特徴とする位置情報サービスシステム。
【発明の詳細な説明】
【技術分野】
【０００１】
本発明は、情報表示装置、情報表示方法、情報表示プログラム及び位置情報サービスシステムに関するものである。
【背景技術】
【０００２】
従来、撮影した画像と撮影した位置の位置情報とを記憶可能なシステムが提案されるに至っている。このシステムは、相互に無線接続されるナビゲーション装置とデジタルカメラとで構成され、デジタルカメラから位置情報要求があると、ナビゲーション装置はデジタルカメラに位置情報をアンサバックする。デジタルカメラ側では、アンサバックされた位置情報を記憶し、撮影した画像をメモリカードに記憶する際に、画像と対応付けた状態で位置情報も記憶する。このため、撮影後に画像を整理する際どの地点で撮影したかが明確となり、ナビゲーション装置の付加価値を高めることができるとするものである（例えば、特許文献１参照。）。
【特許文献１】特開２００３−３２５９０号公報
【発明の開示】
【発明が解決しようとする課題】
【０００３】
しかしながら、従来技術にあっては、撮影した画像をメモリカードに記憶する際に、画像と対応付けた状態で位置情報を記憶するにとどまるものである。したがって、前述のようにナビゲーション装置の付加価値を高めることができるにしても、位置情報を付与された画像の付加価値までも高めることができるものではなく、また位置情報を付与された画像ファイルを有効利用し得る技術でもなかった。
【０００４】
また画像の表示のみでなく、屋外にて各種情報表示を行うことができる電子機器にあっては、位置情報を取得する機能を備えていても、使い勝手の向上につながるものはなかった。
【０００５】
本発明は、かかる従来の課題に鑑みてなされたものであり、位置情報が付与された各種情報を有効利用することのできる情報表示装置、情報表示方法、情報表示プログラム及び位置情報サービスシステムを提供することを目的とする。
【課題を解決するための手段】
【０００６】
前記課題を解決するため本発明に係る情報表示装置あっては、各種情報を当該情報が操作された日の日付情報と共に複数記憶する記憶手段と、前記記憶手段に記憶される複数の情報を前記日付情報に基づいて管理する記憶管理手段と、前記情報を操作した時の位置情報を取得する第１の位置情報取得手段と、この第１の位置情報取得手段によって取得された位置情報を前記操作された情報と対応付けて前記記憶手段に記憶させる記憶制御手段と、表示手段と、前記記憶手段に記憶されている各種情報の一覧表示を指示する第１の指示手段と、この第１の指示手段により各種情報の一覧表示が指示されると、前記記憶管理手段によって管理された日付情報に基づいたレイアウトで前記表示手段に表示させる第１の表示制御手段と、前記記憶手段に記憶されている各種情報の位置情報に基づいた一覧表示を指示する第２の指示手段と、この第２の指示手段により各種情報の一覧表示が指示されると、前記記憶手段に記憶されている夫々の情報に対応付けられた位置情報に基づいたレイアウトで前記表示手段に表示させる第２の表示制御手段とを備える。
【０００７】
したがって、記憶手段に日付情報に基づいて記憶管理される各種情報（ファイル）について、作成されたり編集されたりすることより操作されると、記憶制御手段が、第１の位置情報取得手段によって取得された位置情報とその操作された情報とを対応付けて前記記憶手段に記憶させる。そして、第１の指示手段によって前記記憶手段に記憶される各種情報の一覧表示が指示されると日付情報に基づいて各種情報がレイアウト表示され、第２の指示手段により各種情報の一覧表示が指示されると、位置情報に基づいて各種情報をレイアウト表示する。よって、画像ファイル、および、その他各種ファイルに位置情報が関連付けされていれば、その位置情報に沿ったファイル、及び、フォルダをレイアウト表示できるので、何時何処でどのようなファイルを操作したのかが、直感的に理解できるようになり、特に屋外で活動する場合において、より迅速にファイル操作ができるようになる。
また、本発明に係る情報表示方法にあっては、各種情報を当該情報が操作された日の日付情報と共にメモリに複数記憶させる第１の記憶ステップと、この第１の記憶ステップにて前記メモリに記憶される複数の情報を前記日付情報に基づいて管理する記憶管理ステップと、前記情報を操作した時の位置情報を前記位置情報取得部にて取得する第１の位置情報取得ステップと、この第１の位置情報取得ステップにて取得された位置情報を前記操作された情報と対応付けて前記メモリに記憶させる第２の記憶ステップと、前記メモリに記憶されている各種情報の一覧表示を指示する第１の指示ステップと、この第１の指示ステップにより各種情報の一覧表示が指示されると、前記記憶管理ステップによって管理された日付情報に基づいたレイアウトで表示出力させる第１の表示制御ステップと、前記メモリに記憶されている各種情報の位置情報に基づいた一覧表示を指示する第２の指示ステップと、この第２の指示ステップにより各種情報の一覧表示が指示されると、前記メモリに記憶されている夫々の情報に対応付けられた位置情報に基づいたレイアウトで表示出力させる第２の表示制御ステップとを含む。したがって、記載したステップに従って処理を実行することにより、請求項１記載の発明と同様の作用効果を奏する。
【０００８】
また、本発明に係る情報表示プログラムにあっては、位置情報取得部を備える電子機器のコンピュータを、各種情報を当該情報が操作された日の日付情報と共にメモリに複数記憶させる第１の記憶機能と、この第１の記憶機能によって前記メモリに記憶される複数の情報を前記日付情報に基づいて管理する記憶管理機能と、前記情報を操作した時の位置情報を前記位置情報取得部にて取得する第１の位置情報取得機能と、この第１の位置情報取得機能によって取得された位置情報を前記操作された情報と対応付けて前記メモリに記憶させる第２の記憶機能と、前記メモリに記憶されている各種情報の一覧表示を指示する第１の指示機能と、この第１の指示機能により各種情報の一覧表示が指示されると、前記記憶管理機能によって管理された日付情報に基づいたレイアウトで表示出力させる第１の表示制御機能と、前記メモリに記憶されている各種情報の位置情報に基づいた一覧表示を指示する第２の指示機能と、この第２の指示機能により各種情報の一覧表示が指示されると、前記メモリに記憶されている夫々の情報に対応付けられた位置情報に基づいたレイアウトで表示出力させる第２の表示制御機能として実行させる。したがって、前記コンピュータがこのプログラムに従って処理を実行することにより、請求項１記載の発明と同様の作用効果を奏する。
【０００９】
また、本発明に係る位置情報サービスシステムにあっては、相互にネットワークを介して接続可能な情報表示装置とサーバ装置とからなり、前記情報表示装置は、撮影手段と、位置情報取得手段と、前記撮影手段によって撮影された画像に、前記位置情報取得手段によって取得された位置情報を付与して記憶する記憶手段と、前記位置情報取得手段を制御して自己位置情報を取得させる自己位置取得手段と、前記自己位置取得手段により取得された自己位置情報と前記記憶手段に記憶された画像に付与されている位置情報とを前記サーバ装置に送信する位置情報送信手段と、前記サーバ装置から送信される前記自己位置情報と前記画像に付与されている位置情報とを含む地図情報を受信する地図情報受信手段と、前記自己位置情報と、前記画像に付与されている位置情報とから、自己位置から前記画像に付与されている位置情報との位置関係を示す情報を前記画像及び前記受信した地図情報とともに表示する表示手段とを備え、前記サーバ装置は、前記位置情報送信手段により送信された前記自己位置情報と、前記指示された画像に付与されている位置情報とを受信する位置情報受信手段と、この位置情報受信手段により受信した前記両位置情報を含む地図情報をデータベースより取得する地図情報取得手段と、この地図情報取得手段により取得した地図情報を前記情報表示装置に送信する地図情報送信手段とを備える。したがって、前述と同様に位置情報が付与されている画像を用いて、現在位置から画像を撮影した位置までの経路を当該画像とともに表示することができる。
【発明の効果】
【００１０】
本発明に係る情報表示装置、情報表示方法、情報表示プログラムによれば、位置情報が付与されている各種情報（ファイル）を位置情報に基づいてレイアウト表示することができることから、何時何処でどのようなファイルを操作したのかが、直感的に理解できるようになり、特に屋外で活動する場合において、より迅速にファイル操作ができるようになる。また、本発明に係る位置情報サービスシステムによれば、位置情報を付与された画像の付加価値を高め、位置情報を付与された画像を有効利用することのできるシステムを確立することができる。
【発明を実施するための最良の形態】
【００１１】
以下、本発明の一実施の形態を図に従って説明する。図１は、本実施の形態に係る無線通信システムの構成を示すブロック図である。図において、本発明の電子機器して機能する携帯電話１は、通話機能、撮影機能、画像送受信機能、及び、ＧＰＳ衛星３から送信される位置情報と必要に応じて無線基地局２から送信される補正情報とを受信することによる位置情報取得機能を備える。無線基地局２は、携帯電話１を当該携帯電話１が加入する通信サービス事業者（インターネットプロバイダを含む）４に接続する。
【００１２】
通信サービス事業者（インターネットプロバイダを含む）４は、主なサービスとして提供している携帯電話サービスに必要とする通信回路処理部４１の他、後述のＷＷＷ５に接続するためのシステム（Ｗｅｂサーバ４３）、メールシステム（メールサーバ４２）を備えている。また、無線基地局２をＡＰ（アクセス・ポイント）として、携帯電話１をＷＷＷ５に接続させるための機能も備えている。地図提供サービス会社６は、ＷＷＷ５に接続するためのシステム（Ｗｅｂサーバ６１）、管理サーバ６３及び地図データベース６２を備えている。
【００１３】
図２は、前記地図提供サービス会社６の詳細を示すブロック図であり、前記Ｗｅｂサーバ６１は、ハブ６４を介して前記管理サーバ６３と前記地図データベース６２に接続されている。管理サーバ６３は、入力操作部（キーボード、マウス等）６３１、制御部（メインフレーム）６３２、システムプログラム記憶部６３３、後述する地図データ管理テーブル６３４、表示部６３５、及び通信制御部６３６がシステムバスにより相互に接続されたシステムであり、登録者が操作する携帯電話１に対し、有料でデータベース６２内に格納されているデータ（地図情報）を配信したり、ダウンロードサービスを行う。
【００１４】
地図データベース６２は、レイヤー１データベース６２１、レイヤー２データベース６２２、及びレイヤー３データベース６２３で構成されている。レイヤー１データベース６２１には地図データにおける地形データが格納されており、レイヤー２データベース６２２には地図データにおける道路、路線データが格納されており、レイヤー３データベース６２３には地図データにおけるランドマーク（目印、指標）データが格納されている。したがって、各データベース６２１、６２２、６２３に格納されている地形データ、道路、路線データ、ランドマーク（目印、指標）データを重ね合わせて合成することにより、これら地形、道路、路線、ランドマーク（目印、指標）を有する地図データが作成される。また、建築物の撤去や新たな建設により、ランドマークは頻繁に変化することから、レイヤー３データベース６２３のランドマークデータのみを更新することにより、容易にランドマークの変化に対応できるように構成されている。
【００１５】
図３は、前記地図データベース管理テーブル６３４のメモリ構成を示すものである。この地図データベース管理テーブル６３４には、連続的な「地図管理番号」に各々対応して、「場所（都道府県）」「市区町村」「対応レイヤー３データ」「更新日」が記憶されている。そして、後述するように携帯電話１側からの要求を受けると、このとき携帯電話１側から送信されてくる位置情報に基づき対応する地図の地図管理番号を特定し、この特定した地図管理番号の対応レイヤー３データを用いて後述するレイヤー４データが作成される。
【００１６】
図４は、本実施の形態に係る携帯電話１の外観図（開状態：正面図及び背面図）であり、携帯電話１は、蓋部と本体部とからなる二つ折りの構造である。アンテナ１０３は、本体部の背面に設けられており、伸縮自在となっている。スピーカ１０１は、蓋部の前面側に設けられており、音声出力を行う。メイン表示部１０２は、ＱＶＧＡカラー液晶であり、蓋部の前面略中央部に配置されている。
【００１７】
本体部の前面には、カメラキー１０４、メールキー１０５、十字キー１０６、決定キー１０７、アドレスキー１０８、ネット接続キー１０９、クリアキー１１０、オンフックキー１１１とオフフックキー１１２、テンキー１１３が設けられている。カメラキー１０４は、撮影モードへの移行時及び撮像部の起動時に操作され、メールキー１０５はメールモード移行時及びメールプログラムロード時に操作される。十字キー１０６は、カーソル及びフォーカス移動時に操作され、決定キー１０７は各種モードの決定時に操作されるとともに、撮影時のシャッターキーとして操作される。アドレスキー１０８は、アドレス帳データを表示する際に操作され、ネット接続キー１０９は、地図提供サービス会社接続用の操作キーである。クリアキー１１０は、キャンセル指示用のキーであり、テンキー１１３は、文字入力及びダイアル入力用として使用される。なお、これらキー１０４〜１１３の所定の組合せ操作により、後述するフローチャートに示す位置情報取得指示、撮影した画像の保存指示、位置付き画像ファイルの検索指示等がなされる。マイク１１４は、本体部の下部に設けられており、通話時において音声入力を行う。
【００１８】
また、蓋部の背面には、録音用マイク１１５、カラー液晶からなるサブ表示部１１６、着信の際、発光する報知用ＬＥＤ１１７、撮像レンズ１１８、及びフラッシュ用ＬＥＤ１１９が配置されている。また、本体部の裏面には報知用スピーカ１２０が配置されている。この報知用スピーカ１２０は、着信などを報知するものであり、蓋部を本体部に閉じた状態でも報知音が聞こえるように、本体部の裏面に配置されている。
【００１９】
図５は、携帯電話１の構成を示すブロック図である。無線部１２１は、アンテナ１０３に接続されており、ＰＳＫ方式に基づく変復調と、ＣＤＭＡ方式に基づく端末認証処理を含む通信処理、及び、複数のＧＰＳ衛星３による信号受信処理を行う。制御部１２２は、当該機器を制御するとともにＷＷＷ接続制御を行うものであって、通信データ処理部１２２１、システムＲＯＭ１２２２及びオーディオインターフェース１２２３を有しており、無論計時手段を有している。通信データ処理部１２２１は、ＣＥＬＰ系ボコーダ＆音声復号処理回路、パケットデータ生成回路、及びパケットデータ復元回路を含み、通信プロトコルに沿ったデータ処理を行う。
【００２０】
システムＲＯＭ１２２２には、ＯＳのような基本システムが格納されるとともに、加入者情報記憶部１２２４及び位置情報演算処理部１２２５が設けられる。加入者情報記憶部１２２４は、基地局２とのネゴシエーションに必要となる当該携帯電話１に固有のＩＤである端末ＩＤ、加入者ＩＤ情報を記憶する。位置情報演算処理１２２５は、ＧＰＳ処理用のアプリケーションが格納され、このアプリケーションに沿ってＧＰＳ衛星３からの位置情報の受信により位置情報（緯度・経度情報）が取得される。オーディオインターフェース１２２３は、通信データ処理部１２２１で処理される音声信号の入出力を行うものであって、前記スピーカ１０１、マイク１１４及び録音用マイク１１５が接続されている。なお、入力部は、前記カメラキー１０４〜テンキー１１３等で構成される。
【００２１】
アドレス・データバス処理部１２３は、制御部１２２と周辺回路（破線枠内の回路）とのデータの入出力タイミング等を制御・管理するものである。ＲＡＭ１２４は、アドレス帳データやメールデータ等、当該携帯電話１内で生成される各種データを記憶する。プログラムＲＯＭ（ＮＡＮＤ  Ｆｌａｓｈ）１２５は、図６に図示するように、メール処理プログラム１２５１、ブラウザを格納するウェブ処理系プログラム１２５２、ＪＰＥＧ、ＭＰＥＧ（−２、−４）方式に準拠した画像圧縮／伸張処理プログラム１２５３、ユーティリティ（環境ソフト）プログラム１２５４、ＧＰＳ処理アプリケーションプログラム１２５５、及び、その他アプリケーションプログラム１２５６を格納し、ユーザの操作に従い、これらのプログラムを選択して制御部１２２にロードする。音源ＩＣ１２６は、報知音の波形を記憶するともに出力するものであって、アンプ１２７は音源ＩＣ１２６からの出力を増幅し、前記報知用スピーカ１２０はこれを再生する。
【００２２】
表示モジュール系ドライバ１２８は、前記メイン表示部１０２、サブ表示部１１６、報知用ＬＥＤ１１７、及びフラッシュ用ＬＥＤ１１９を駆動するものである。撮像デバイス１３０は、前記撮像レンズ１１８により被写体像が結像されるＣＣＤ等からなり、ＤＳＰ１２９は、この撮像デバイス１３０からの画像信号を処理するものである。
【００２３】
図７は、前記ＲＡＭ１２４のメモリエリアの構成を示す概念図である。ＲＡＭ１２４は、アドレス帳エリア１２４１、データフォルダ管理テーブル１２４２、データフォルダ領域１２４３、画像バッファ１２４４、及びワークエリア１２４４からなる。アドレス帳エリア１２４１は、氏名、電話番号、メールアドレス等を１レコードとして複数記憶する。データフォルダ管理テーブル１２４２は、撮影されてデータフォルダ領域１２４３に記憶された位置情報を含む画像ファイルとそのアドレスとの対応関係を記憶する領域であり、データフォルダ領域１２４３は位置情報を含む画像ファイルそのものを記憶する領域である。画像バッファ１２４４は、撮影された画像データを一時的に格納する領域であり、ワークエリア１２４４は、ワークメモリとして各種データ格納する。  
【００２４】
次に、以上の構成に係る本実施形態の動作について説明する。携帯電話１のユーザがカメラキー１０４の操作により、撮影モードを設定すると、制御部１２２は、プログラムＲＯＭ１２５に格納されている画像圧縮／伸張処理プログラム１２５３がロードされることにより、図８に示すフローチャートに従って処理を実行する。先ず、モニター表示処理を行って、撮像レンズ１１８により撮像デバイス１３０上に結像されたスルー画像をメイン表示部１０２に表示させる（ステップＡ１０１）。次に、決定キー１０７の操作が検出されたか否かを判断し（ステップＡ１０２）、検出されたならば、撮像デバイス１３０上に結像されＤＳＰ１２９により処理されたデジタル画像データを取り込んで、画像バッファ１２４４に格納する（ステップＡ１０３）。
【００２５】
引き続き、十字キー１０６、及び、決定キー１０７の操作検出により位置情報取得指示が検出されたか否かを判断する（ステップＡ４）。位置情報取得指示が検出されなかった場合には、保存操作が検出されたか否かを判断する（ステップＡ１０５）。そして、保存操作が検出されなかった場合には、前述のステップＡ１０３で画像バッファ１２４４に格納した画像データを消去する（ステップＡ１０６）。また、保存操作が検出された場合には、ステップＡ１０３で画像バッファ１２４４に格納した画像データを通常の画像ファイルとして圧縮処理し、サブフォルダ名１（日時フォルダ）とリンク付けする（ステップＡ１０７）。このとき、画像ファイルは日時と撮影回数からなるファイル名とする。
【００２６】
一方、ステップＡ１０４での判断の結果、位置情報取得指示が検出された場合には、ＧＰＳ処理アプリケーションプログラム１２５５をロードするとともに位置情報演算処理１２２５に対し現在位置情報（緯度・経度情報）を取得させ、この取得した位置情報をワークエリア１２４５に一時記憶させる（ステップＡ１０８）。次に、保存操作が検出されたか否かを判断する（ステップＡ１０９）。保存操作が検出されなかった場合には、前述のステップＡ１０６での処理と同様に、画像バッファ１２４４に格納した画像データを消去する（ステップＡ１１０）。
【００２７】
また、保存操作が検出された場合には、データフォルダ領域１２４３に、先程のステップＡ１０８で取得した位置情報と位置情報が近い地名フォルダが存在するか否かを判断する（ステップＡ１１１）。地名フォルダが存在しない場合には、地名フォルダ名のみ作成し、Ｅｘｉｆ規格のＧＰＳＩｎｆｏタグに位置情報を埋め込み、画像ファイルとして圧縮処理し、サブフォルダ名１（日時フォルダ）とリンクさせてデータフォルダ領域１２４３に格納する（ステップＡ１１２）。このとき、日時と撮影回数からなるファイル名とする。また、地名フォルダが存在する場合には、Ｅｘｉｆ規格のＧＰＳＩｎｆｏタグに位置情報を埋め込み、対応する地名フォルダとリンク付けする（ステップＡ１１３）。このときのデータフォルダ管理テーブル１２４２は画像ファイルの格納管理に注目すれば図９に示すような記憶管理方法をとっている。主に画像ファイルの場合は、ファイル名欄、ファイル作成日、位置情報フラグ、位置情報、サブフォルダ名１（日付フォルダ）、フォルダフラグ、サブフォルダ名２（地名フォルダ）を１レコードとして管理する。例えば、当該管理テーブル１２４２の一番上のテーブルを用いて説明すると、ファイル名“２００３０３０３〜０１．ｊｐｇ”は、ファイル名エリアには“２００３０３０３〜０１．ｊｐｇ”が、ファイル作成日エリアには“２００３年３月３日”、位置情報フラグエリアには位置情報が付加されたことを示す“１”が、位置情報エリアには取得した位置情報である“Ｅ（東経）１３９°４２’０４．５”Ｎ（北緯）３５°３９’”が、サブフォルダ名１エリアには日時フォルダ“２００３０３０３”が、フォルダフラグエリアには、地名フォルダが作成されたことを示す“１”が、そして、サブフォルダ名２エリアには地名フォルダ“渋谷周辺”が記憶されている。
例えば上記ステップＡ１１１〜Ａ１１３の処理をファイル名“２００３０３１０〜０１．ｊｐｇ”の画像ファイルをデータフォルダに格納するケースに当てはめると、上記画像ファイル作成時、上記ステップＡ１０８で取得した位置情報は、“Ｅ１３９°４２’０４．０”Ｎ３５°３９’”となっている。この位置情報を取得すると、制御部１２２はデータフォルダ管理テーブル１２４２に既にこの位置情報に近い画像ファイルが格納されているか否かを判断し、近い位置情報“Ｅ１３９°４２’０４．５”Ｎ３５°３９’”で管理されている画像ファイル“２００３０３０３〜０１．ｊｐｇ”を見つける。そして、この画像ファイルが関連付けられるサブフォルダ名２（地名フォルダ）”渋谷周辺“に関連付けする。このとき、フォルダフラグは１がセットされる。尚、ファイル作成日エリア、及び、位置情報エリアに格納される情報は、画像ファイルがＥｘｉｆ規格に対応している場合には、それぞれ対応するタグに格納されるが（位置情報については“ＧＰＳＩｎｆｏ”タグに格納される）、同時にデータフォルダ管理テーブル１２４２にも転送、記憶される。
【００２８】
他方、携帯電話１が待受状態にあると、制御部１２２は、ユーザの所定のキー操作（十字キー１０６、及び、決定キー１０７の操作）を検出することにより、位置付き画像ファイルの検索指示が検出されたか否かを判断する（ステップＡ２０１）。そして、検索指示が検出されると、プログラムＲＯＭ１２５に格納されているユーティリティ（環境ソフト）プログラム１２５４をロードして、図１０に示すフローチャートに従って処理を実行する。まず、ユーザによる画像ファイルの検索指示が検出されたか否かを判断する（ステップＡ２０１）。画像ファイルの検索指示が検出された場合には、データフォルダ管理テーブル１２４１を参照し、データフォルダ領域１２４３に格納されている各種ファイルのうち、画像ファイルを抽出してこの抽出した画像ファイルの実画像、若しくはサムネイル画像を縮小処理してアイコン化する（ステップＡ２０２）。すなわち、携帯電話１のメイン表示部１０２の表示面積は限られていることから、複数の画像をサムネイル表示することさえも困難であるため、表示に先立って画像ファイルをアイコン化する。
【００２９】
引き続き、これら画像ファイルをリンクされている日時フォルダ順に、メイン表示部１０２にレイアウト表示させる（ステップＡ２０３）。このステップＡ２０３での処理により、図１１（ａ）に示すように、メイン表示部１０２には、携帯電話１にて撮影された画像を分類管理するための「マイフォト」フォルダのフォルダアイコン１０２７、フォルダ名１０２７（フォルダ名は「マイフォト」である）、ファイルアイコン１０２９、１０２９、…、これに対応する日時ファイル名１０３０、１０３０、…（２００３年３月３日、２００３年３月１０日、…、）、が表示されることとなる。なお、同図において、１０２１は受信電界強度アイコン、１０２２はバッテリー残量アイコン、１０２３は上スクロールアイコン（十字キー１０６の上方向操作に対応）、１０２４は下スクロールアイコン（十字キー１０６の下方向操作に対応）、１０２５は現在時刻表示エリア、１０２６はスクロールバー、１０３１はＯＫ表示エリア（決定キー１０７の操作に対応）、及び、１０３２はサブメニューエリア（アドレスキー１０８の操作に対応）である。
【００３０】
次に、アドレスキー１０８の操作によりサブメニューを表示させ、操作位置情報取得指示が検出されるまで（ステップＡ２０３）、前記表示状態を継続し、位置情報取得指示が検出が検出されたならば、前述したステップＡ１０８での処理と同様に、ＧＰＳ処理アプリケーションプログラム１２５５をロードし、自己位置情報（緯度・経度情報）を取得する（ステップＡ２０５）。さらに、この取得した自己位置を中心として、前記ステップＡ２０３で表示したファイルアイコンが消え、位置情報が付加された画像ファイルのみを残し、対応する地名フォルダを読み出して、画像ファイルアイコンやファイルアイコンを再配置し、メイン表示部１０２にレイアウト表示させる（ステップＡ２０６）。
【００３１】
このとき、自己位置と各画像ファイルアイコン、フォルダアイコンの位置との相対関係に基づき、自己位置を中心とし、かつ、表示部１０２の上を北、下を南、左を西、右を東として、相対的な位置に配置する。よって、このステップＡ２０６での処理により、図１１（ｂ）に示すように、メイン表示部１０２には、自己位置１０３６を中心に画像ファイルアイコン１０３３、その地名フォルダ名（サブフォルダ名２）１０３４、フォルダアイコン１０３５が表示されることとなる。
【００３２】
次に、十字キー１０６と決定キー１０７の操作により、いずれかの画像ファイルアイコン１０３３、もしくはフォルダアイコン１０３５の選択が検出されたか否かを判断し（ステップＡ２０７）、この選択が検出されたならば、ネット接続キー１０９の操作によるネットワーク接続指示が検出されたか否かを判断する（ステップＡ２０８）。ネットワーク接続指示が検出されたならば、無線基地局２を介して通信サービス会社４にアクセスして、地図提供サービス会社６のＵＲＬ、端末ＩＤ、加入者ＩＤを送信すると、通信サービス会社４はこれに認証処理を行ってセッション許可を送信する。携帯電話１は、このセッション許可を受信して、地図提供サービス会社６とのセッションを確立する（ステップＡ２０９）。
【００３３】
しかる後に、携帯電話１は前述のステップＡ２０５で取得した自己位置情報（現在位置情報）と、ステップＡ２０７で選択された画像ファイルアイコン１０３３、またはフォルダアイコン１０３５が有する位置情報とを地図提供サービス会社６に送信する。すると、地図提供サービス会社６の管理サーバ６３は、同様に図１０に示すフローチャートに示す処理を開始し、地図データベース６２より、前記現在位置情報と撮影位置情報とを含む各レイヤーデータ（レイヤー１、２、３データ）を抽出する（ステップＢ２０１）。すなわち、図１２に示すように、前記現在位置情報と撮影位置情報とを含むレイヤー１データを抽出し（ａ）、対応するレイヤー２データを抽出するとともに（ｂ）、対応するレイヤー３データを抽出する（ｃ）。
【００３４】
さらに、２つの位置情報（現在位置情報と撮影位置情報）と抽出したレイヤー３データとに基づき、現在位置から撮影位置までの経路であるレイヤー４データを作成し、この作成したレイヤー４データと前記レイヤー１〜３データとを重ね合わせた地図画像ファイルを送信する（ステップＢ２０２）。したがって、このステップＢ２０２での処理により、図１２（ｄ）に示すように、レイヤー１〜３からなる地図１０４２上に例えば進行矢印１０４０で経路が示されたレイヤー４データが重ね合わされてレイヤー１〜４で構成された地図画像ファイル１０４１が作成されて、携帯電話１に送信されることとなる。このとき、送信される地図画像ファイル１０４１のファイル名は、図３に示したように、レイヤー３データの「場所（都道府県）」「市区町村」で決定され、例えば前記ステップＢ２０１で抽出されたレイヤー３データが地図管理番号「００００００」のものであれば、ファイル名は「北海道稚内市１」とされる。しかる後に、地図提供サービス会社６の管理サーバ６３は携帯電話１とのセッションを終了し、アクセス待ち状態に戻る。
【００３５】
一方、携帯電話１は、前記進行矢印１０４０で経路が示されたレイヤー１〜４データからなる地図画像ファイル１０４１を受信し（ステップＡ２１１）、前記ステップＡ２０７で選択された以外の他の画像ファイルアイコン１０３３やフォルダアイコン１０３５を消し、自己位置と選択された画像ファイルアイコン１０３３、フォルダアイコン１０３５と経路を表示する（ステップＡ２１２）。したがって、このステップＡ２１２での処理により、図１１に示したように、メイン表示部１０２の表示状態は同図（ｂ）から同図（ｃ）に遷移し、他のアイコン（画像ファイルアイコン１０３３、フォルダアイコン１０３５）は消されて、選択されたファイルアイコン１０３５のみが表示されるとともに、地図１０３９を背景として、自己位置１０３６とフォルダアイコン１０３５と進行矢印１０４０とによる経路とが表示されることとなる。
【００３６】
また、クリアキー１１０の操作によるキャンセル指示がなされるまで（ステップＡ２１３）、この図１１（ｃ）に示した表示状態を継続する。したがって、ユーザはメイン表示部１０２の表示を視認しつつ進行することにより、現在位置から選択した過去に撮影を行った位置まで容易に到達することができる。そして、この表示が不要となった時点でユーザがキャンセル指示を行うと、地図画像ファイルのファイル名を選択された画像ファイルアイコン１０３３、フォルダアイコンの地名フォルダと対応付けてデータフォルダ領域１２４３に保存する（ステップＡ２１４）。
【００３７】
尚、地図画像ファイルのファイル名が例えば「北海道稚内市１」である場合、このファイル名「北海道稚内市１」をフォルダ名とする地名フォルダをデータフォルダ領域１２４３に作成し、この地名フォルダに関連付けてファイルアイコン１０３５と画像ファイルとを関連付けさせても良い。
【００３８】
このように、前述した図７のステップＡ１１１においては、データフォルダ領域１２４３に格納されている地名フォルダの位置情報と、ステップＡ１０８で取得した撮影位置情報とを比較することにより、この撮影位置情報が示す位置情報が近い地名フォルダが存在するか否かを判断することができる。そして、位置情報が近い地名フォルダが存在しない場合には（ステップＡ１１１：ＮＯ）、ＧＰＳＩｎｆｏタグに位置情報を埋め込み、また、データフォルダ管理テーブル１２４２に記憶させて、画像ファイルとして、データフォルダ領域１２４３に格納する（ステップＡ１１２）。よって、この場合には、ＧＰＳＩｎｆｏタグに位置情報を埋め込まれた画像ファイルが日時フォルダを介することなく、直接的にデータフォルダ領域１２４３に格納されることとなる。
【００３９】
尚、本実施の形態においては、ステップＡ２０８にてネット接続キー１０９の操作を検出することにより、地図画像ファイルを取得するようにしたが、特定のフォルダアイコン１０３５を選択することにより、そのフォルダアイコン１０３５に関連付けされている画像ファイルをリスト表示させても良い。
【００４０】
図１１（ｄ）はその場合について図示したものであるが、図９のデータフォルダ管理テーブル１２４２を参照すると、地名フォルダ“新宿周辺”には、画像ファイル“２００３０３０３〜０４．ｊｐｇ”、及び、“２００３０３１０〜０２．ｊｐｇ”が関連付けされている。したがって、図１１（ｂ）の表示の段階において、地名フォルダ“新宿周辺”のフォルダアイコン１０３５には、上記２つの画像ファイルがグループ化されていることになる。
ここで、決定キー１０７の操作を検出すると、反転表示されている地名フォルダ“池袋周辺”に対応する画像ファイルアイコン１０３３が選択され、画像ファイル“２００３０３１２〜０１．ｊｐｇ”がデータフォルダ領域１２４３から読み出されて、対応する画像が表示されるが、十字キー１０６の操作を検出することにより地名フォルダ“新宿周辺”が選択され、反転表示されると、図１１（ｄ）に図示されるように、その地名フォルダにバルーン（吹き出し）が表示され、その中に上記２つの画像ファイルのファイル名が表示される。
そしてこの表示状態において、十字キー１０６の上下操作を検出することで、対応する画像ファイルがデータフォルダ領域１２４３から読み出されて表示されるようになる。
また、上記ステップＡ２０６において、自己位置と各画像ファイルアイコン、フォルダアイコンの位置との相対関係に基づき、自己位置を中心とし、かつ、表示部１０２の上を北、下を南、左を西、右を東として、各画像ファイルを相対的な位置に配置するようにしたが、移動方向を検出することにより、ヘディングアップ機能を備えさせ、進行方向を表示部の上側としてレイアウト表示させるようにしても良い。
変形例
上記本実施の形態においては、画像ファイルのレイアウト表示について述べたが、画像ファイルの表示方法に限らず、その他多種多様なファイルに適用させても良い。
この変形例ではその場合について述べるが、上記実施の形態と同じ構成、機能を備えるところは説明を省略する。
図１３は、データフォルダ管理テーブル１２４２の記憶内容を示す図である。図９と異なる点は、画像ファイルを管理するのではなく、データフォルダ領域１２４３に記憶される全てのファイルについて、任意に位置情報が関連付けられている点にある。これは、そのファイルを作成した時点で、ＧＰＳ処理アプリケーションプログラム１２５５をロードさせて位置情報を付加しても良いし、編集時、その他のファイル操作を検出したタイミングで位置情報を付加しても良い。
このように位置情報が付加された各種ファイルをユーティリティ（環境ソフト）プラグラムをロードし、更にＧＰＳ処理アプリケーションプログラム１２５５をロードすると、その表示態様は図１４（ａ）のようになる。
レイアウト表示の内容は図１１（ｂ）と同じようであるが、例えば、地名フォルダ“池袋周辺”には、図１３を参照すると、“ｓａｍｐｌｅ．ｍｐ３”という音声ファイルが格納されているので、音符のアイコン１０４３が表示される。また、十字キー６の操作を検出することにより地名フォルダ“新宿周辺”が選択され、反転表示されると、図１４（ｄ）に図示されるように、その地名フォルダにバルーン（吹き出し）が表示され、その中に上記２つのファイル“ｍａｒｋｅｔ．ｘｌｓ”、及び、“２００３０３１０〜０２．ｊｐｇ”のファイル名が表示される。
そしてこの表示状態において、十字キー１０６の上下操作を検出することで、対応するファイルがデータフォルダ領域１２４３から読み出されて展開され（対応するアプリケーションプログラムがロードされ）表示されるようになる。
このように本発明によれば、画像ファイル、および、その他各種ファイルに位置情報が関連付けされていれば、その位置情報に沿ったファイル、及び、フォルダをレイアウト表示できるので、何時何処でどのようなファイルを操作したのかが、直感的に理解できるようになり、特に屋外で活動する場合において、より迅速にファイル操作ができるようになる。
【００４１】
なお、本実施の形態においては画像ファイルをアイコン化して表示するようにしたが、表示部の表示面積が十分である場合等においては、アイコン化することなく画像ファイルを適当な大きさで表示するようにしてもよい。また、本実施の形態においては携帯電話に本発明を適用した場合を示したが、デジタルカメラやカメラ付きＰＤＡに本発明を適用するようにしてもよい。
【００４２】
さらにまた、本実施の形態においては、メイン表示部１０２にこれらの内容を表示させるようにしていたが、解像度や表示サイズによってはサブ表示部１１６に表示させるようにし、蓋部を閉じた状態のままでも経路情報を確認できるような機能構成であってもよい。
【図面の簡単な説明】
【００４３】
【図１】本発明の一実施の形態に係る画像送受信システムの構成を示すブロック図である。
【図２】地図提供サービス会社の詳細を示すブロック図である。
【図３】地図データベース管理テーブルの記憶内容を示す図である。
【図４】（ａ）は本実施の形態における携帯電話の正面図、（ｂ）は背面図である。
【図５】携帯電話の構成を示すブロック図である。
【図６】ＲＯＭ１２５に格納される各種プログラムの内容を示す概念図である。
【図７】ＲＡＭのメモリエリアの構成を示す概念図である。
【図８】本実施の形態における携帯電話の撮影モードにおける処理手順を示すフローチャートである。
【図９】データフォルダ管理テーブル１２４２の記憶内容を示す図である。
【図１０】携帯電話の待受状態における処理手順、及び地図提供サービス会社の管理サーバの処理手順を示すフローチャートである。
【図１１】携帯電話の表示遷移図である。
【図１２】管理サーバの処理手順を示すデータ遷移図である。
【図１３】変形例におけるデータフォルダ管理テーブル１２４２の記憶内容を示す図である。
【図１４】変形例における携帯電話の表示遷移図である。
【符号の説明】
【００４４】
１  携帯電話（情報表示装置、コンピュータ）
２  無線基地局
３  ＧＰＳ衛星
４  通信サービス会社
５  ＷＷＷ
６  地図提供サービス会社
４１  通信回路処理部
４２  メールサーバ
４３  Ｗｅｂサーバ
６１  Ｗｅｂサーバ
６２  地図データベース
６３  管理サーバ（サーバ装置）
１０２  メイン表示部（表示手段）
１０３  アンテナ（位置情報取得手段、接続手段、位置情報取得部、位置情報送信手段、地図情報受信手段）
１０４  カメラキー
１０６  十字キー（第１の指示手段、第２の指示手段、選択手段、情報選択手段）
１０７  決定キー（第１の指示手段、第２の指示手段、選択手段、情報選択手段）
１０８  アドレスキー（第２の指示手段）
１０９  ネット接続キー
１１８  撮像レンズ（撮影手段、撮影部）
１２２  制御部（第１の位置情報取得手段、記憶制御手段、第１の表示制御手段、第２の表示制御手段、距離判別手段、第２の位置情報取得手段、第３の表示制御手段、生成手段）
位置情報送信手段、）
１２４  ＲＡＭ
１２５  プログラムＲＯＭ
１２９  ＤＳＰ（撮影手段、撮影部）
１３０  撮像デバイス（撮影手段、撮影部）
６３２  制御部（地図情報取得手段）
６３３  システムプログラム記憶部
６３４  地図データ管理テーブル
６３６  通信制御部（位置情報受信手段、地図情報送信手段）
１０３３  画像ファイルアイコン
１０３５  フォルダアイコン
１０３６  自己位置
１０３９  地図
１０４０  進行矢印
１２２１  通信データ処理部（接続手段、位置情報送信手段、地図情報受信手段）
１２２２  システムＲＯＭ
１２２３  オーディオインターフェース
１２２４  加入者情報記憶部
１２２５  位置情報演算処理部（第１の位置情報取得手段、第２の位置情報取得手段、位置情報取得部）
１２４２  データフォルダ管理テーブル（記憶管理手段）
１２４３  データフォルダ領域（記憶手段、メモリ）
１２４４  画像バッファ
１２４５  ワークエリア
【図１】
2005100353.tif 000003
【図２】
2005100353.tif 000004
【図３】
2005100353.tif 000005
【図４】
2005100353.tif 000006
【図５】
2005100353.tif 000007
【図６】
2005100353.tif 000008
【図７】
2005100353.tif 000009
【図８】
2005100353.tif 000010
【図９】
2005100353.tif 000011
【図１０】
2005100353.tif 000012
【図１１】
2005100353.tif 000013
【図１２】
2005100353.tif 000014
【図１３】
2005100353.tif 000015
【図１４】
2005100353.tif 000016